(57)【要約】【課題】壁同士の接合強度および安定性ならびに防水性の向上を図り、作業効率を良好にすることができるバルコニーのコーナー部構造を提供すること。【解決手段】軽量コンクリート製の複数の壁パネル（１０，２０，３０）同士を接合して形成されるバルコニーのコーナー部構造であって、第１の壁パネル１０と、その第１の壁パネル１０に対して出隅の関係で接合された第２の壁パネル２０と、第１の壁パネル１０上に固定された第３の壁パネル３０と、第２の壁パネル２０上に固定され、第３の壁パネル３０に対して出隅の関係で接合された第４の壁パネル４０とを備え、第４の壁パネル４０は第２の壁パネル２０よりも厚く形成され、第３の壁パネル３０が第４の壁パネル４０に接合する端面３２は、第２の壁パネル２０の内面から離間した位置にあること。【選択図】      図３
2004190295.tif 000002
【特許請求の範囲】
【請求項１】
軽量コンクリート製の複数の壁パネル同士を接合して形成されるバルコニーのコーナー部構造であって、
第１の壁パネルと、その第１の壁パネルに対して出隅の関係で接合された第２の壁パネルと、前記第１の壁パネル上に固定された第３の壁パネルと、
前記第２の壁パネル上に固定され、前記第３の壁パネルに対して出隅の関係で接合された第４の壁パネルとを備え、
前記第４の壁パネルは前記第２の壁パネルよりも厚く形成され、前記第３の壁パネルが前記第４の壁パネルに接合する端面は、前記第２の壁パネルの内面から離間した位置にあることを特徴とするバルコニーのコーナー部構造。
【請求項２】
請求項１記載のバルコニーのコーナー部構造において、前記第１の壁パネルと前記第２の壁パネルの上部と、前記第３の壁パネルの上部および端部に断面Ｌ字状の被覆プレートが設けられていることを特徴とするバルコニーのコーナー部構造。
【請求項３】
請求項１記載のバルコニーのコーナー部構造において、前記被覆プレートおよび前記第１，第２，第３の壁パネルの内面に、防水シートが設けられていることを特徴とするバルコニーのコーナー部構造。
【請求項４】
請求項１〜３記載のバルコニーのコーナー部構造において、前記第１，第２壁パネルの接合部と，前記第１，第３の壁パネルの接合部には、複数の補強パッチが設けられていることを特徴とするバルコニーのコーナー部構造。
【請求項５】
請求項１〜４記載のバルコニーのコーナー部構造において、前記第４の壁パネルは外壁材であって、前記第３の壁パネルが前記第４の壁パネルに接合する端面と、前記第４の壁パネルが前記第２の壁パネルに接合する端面は、それぞれシーリング処理されていることを特徴とするバルコニーのコーナー部構造。
【発明の詳細な説明】
【０００１】
【発明の属する技術分野】
本発明は、バルコニーのコーナー部構造に関し、特に壁パネル同士の接合強度向上および防水処理に好適な形態となるバルコニーのコーナー部構造に関する。
【０００２】
【背景の技術】
従来、住宅等に設けられるバルコニーの種類として、建物から外部へ突出して配置され、屋根の上に置くタイプの屋根置き型や、地面に柱を立設させてから柱上に置くタイプの柱立て型などが広く知られている。また、建物内に設けられるインナーバルコニーなどもある。マンション等の集合住宅に設けられるインナーバルコニーは、サッシ外部に隣接配置されている形態が多く、また一戸建て住宅においては居室内に設けられている形態などがある。この一戸建て住宅におけるインナーバルコニーは、床面から直角に立設させた３方の壁パネルをそれぞれ接合して形成されており、各接合部は入隅と出隅の関係で接合されている（例えば、特許文献１参照。）。
【０００３】
【特許文献１】
特開平１０−１４０６４７
【０００４】
【発明が解決しようとする課題】
しかしながら、上記のインナーバルコニーにおいては２つの問題点があった。第１の問題点は、壁パネル同士を接合するコーナー部は、複雑な構造となっているため、その接合作業が頓雑になってしまう恐れがあった。そのため施工時に熟練した技術を要することになり、作業性にも問題が生じていた。第２の問題点としては、壁パネル同士の接合強度の問題がある。これはインナーバルコニーの接合部となるコーナー部は、従来のように一方の壁パネルに他方の壁パネルを突き当てるようにして接合しているが、このように接合すると壁パネル同士の接合面積が小さくなってしまい、インナーバルコニーに十分な接合強度が得られない恐れがあった。さらに、接合強度の向上を図るために補強部材を複数使用することになり、作業効率の低下およびコスト高になってしまう恐れもあった。したがって、接合強度および作業性の向上に配慮したインナーバルコニー構造であることが望ましい。
【０００５】
本発明は、壁同士の接合強度および安定性ならびに防水性の向上を図り、作業効率を良好にすることができるバルコニーのコーナー部構造を提供することにある。
【０００６】
【課題を解決するための手段】
本発明は、軽量コンクリート製の複数の壁パネル同士を接合して形成されるバルコニーのコーナー部構造であって、第１の壁パネルと、その第１の壁パネルに対して出隅の関係で接合された第２の壁パネルと、第１の壁パネル上に固定された第３の壁パネルと、第２の壁パネル上に固定され、第３の壁パネルに対して出隅の関係で接合された第４の壁パネルとを備え、第４の壁パネルは第２の壁パネルよりも厚く形成され、第３の壁パネルが第４の壁パネルに接合する端面は、第２の壁パネルの内面から離間した位置にある構造とした。
【０００７】
このような本発明によれば、壁パネルの接合強度を強くすることができるため、バルコニーの安定度が向上する。すなわち、第４の壁パネルは、第３の壁パネルに対して出隅の関係で接合され、第４の壁パネルの厚さは第２の壁パネルよりも厚く形成されているため、第４の壁パネルを接合する際の接合面積をより広くすることが可能な構造とすることができる。さらに、構造上、複雑な工程であるコーナー部を上記のような入隅，出隅構造とすることで、比較的容易に形成でき、作業性の向上を図ることが可能になる。
【０００８】
前記第１の壁パネルと第２の壁パネルの上部と、第３の壁パネルの上部および端部に断面Ｌ字状の被覆プレートが設けられていることが望ましい。このように形成した場合、第４の壁パネルを設置する際の安定性および作業性の向上を図ることができ、また、防水シートを張り付ける際の密着度を高め、防水に効果的な形態とすることが可能になる。
【０００９】
すなわち、被覆プレートは断面Ｌ字状に形成されているため、被覆プレートのつら部分が第４の壁パネルの外面に接地し、容易かつ確実に固定することができる。さらに、被覆プレートおよび防水シートは塩化ビニール等の合成樹脂で形成されているため、防水シートとの密着度がより高まるため、優れた防水構造とすることができる。
【００１０】
前記被覆プレートおよび第１，第２，第３の壁パネルの内面に、防水シートが設けられていることが望ましい。このようにした場合、バルコニーの防水構造を効果的に形成することができる。すなわち、第１，第２，第３の壁パネル上部に固定された被覆プレートから各壁パネルの内面側にかけて防水シートを張り付けることで、防水処理を施すことが可能になる。
【００１１】
前記第１，第２壁パネルの接合部と，第１，第３の壁パネルの接合部には、複数の補強パッチが設けられていることが望ましい。このように形成した場合、各接合部をより強固にすることができ、バルコニーの安定性の向上を図ることが可能になる。
【００１２】
前記第４の壁パネルは外壁材であって、第３の壁パネルが第４の壁パネルに接合する端面と、第４の壁パネルが第２の壁パネルに接合する端面は、それぞれシーリング処理されていることが望ましい。このように形成した場合、第４の壁パネルと接合される第２，第３の壁パネルとの密着度を高めることができ、防水処理に効果的な構造とすることが可能になる。すなわち、第４の壁パネルは外壁材であり、第１，第３の壁パネルとの接合部の隙間を埋めることで、防水処理により優れた構造となる。
【００１３】
【発明の実施の形態】
以下、本発明の実施の形態について、図面を参照して説明する。
図１はインナーバルコニー１の構造を示す斜視図である。
この実施形態では、本発明を住宅に適用した例を示す。
【００１４】
図１に示すインナーバルコニー１は、住宅の居室内に設けられており、屋外側Ａに位置する第１壁パネル１０とその両側に互いに対向して配置される２つの第２壁パネル２０（一方は図示しない）とによって囲まれたインナーバルコニー１であって、その上部には屋根部（図示しない）が設けられている。
【００１５】
このインナーバルコニー１は、以下に示すような工程によって構築される。まず、底辺部２に第２壁パネル２０を屋外側Ａ方向に向けて取り付け、その先端部に第１壁パネル１０を取り付ける。これによって、第１壁パネル１０は第２壁パネル２０に対して出隅の関係に接合される。この第１壁パネル１０と第２壁パネル２０は、それぞれ接合部材（図示しない）によって固定されている。
【００１６】
次に、第１壁パネル１０の上部に第３壁パネル３０を取り付ける。取り付け箇所としては、図１に示すように、第１壁パネル１０と第２壁パネル２０とが固定されているコーナー部３から所定寸法ずらして配置する。この所定寸法とは、後述する外壁パネル４０の壁厚と等しい寸法となっている。さらに、第２壁パネル２０の上端部２１に被覆プレート４ａを取り付け、第３壁パネル３０の上端部３１と、端部３２に被覆プレート４ｂ，４ｃをそれぞれ取り付ける。
【００１７】
被覆プレート４ａは、第１壁パネル１０と第２壁パネル２０の各上端部を連結するように一体的に形成されている。したがって、第１壁パネル１０と第２壁パネル２０との接合強度を強くすることができ、さらに後述する防水シート６ａ，６ｂを張り付ける際、互いの密着度が高まるため防水性の向上を図ることが可能になる。この被覆プレート４（ａ〜ｃ）の形状は断面Ｌ字状で、塩化ビニール等の樹脂で覆われた金属製の鋼板であり、つら部５が各壁パネルの外側方向に位置するように配置されている。また、第３壁パネル３０の端部３２に配置された被覆プレート４ｃにおいては、つら部５が内側方向に位置するように配置されている。
【００１８】
この実施形態では鋼板（被覆プレート）を使用しているが、金属板やアルミ板等を用いることもできる。また、上述した第１〜３壁パネル１０，２０，３０は、軽量コンクリート製によって形成されている。
【００１９】
次に、インナーバルコニー１の防水処理構造を説明する。図２に示すように、被覆プレート４ａ上部から第２壁パネル２０の内面と、被覆プレート４ｂ，４ｃから第３壁パネル３０および第１壁パネル１０の内面にかけて、塩化ビニール樹脂などの合成樹脂で形成された防水シート６ａ，６ｂがそれぞれ設けられている。
【００２０】
取り付け方法としては、まず、第２壁パネル２０に固定された被覆プレート４ａから底部２にかけて防水シート６ａを覆いかぶせて溶着する。次に、第３壁パネル３０に固定された被覆プレート４ｂから第１壁パネル１０および、底部２にかけて防水シート６ｂを覆いかぶせて溶着する。この際、第３壁パネル３０の端部３２は、防水シート６ｂ裏へ折り込んで溶着する。この防水シート６ａ，６ｂは、予め被覆プレート（４ａ〜４ｃ）が取り付けられているため、容易に取り付けることが可能となり、作業性の向上をはかることができる。
【００２１】
次に、第１，第２壁パネルが接合されたコーナー部３と、第３壁パネル３０の端部３２および、各壁パネルの接合部分と、防水シート６ａ，６ｂ上に補強パッチ７ａ，７ｂ，７ｃ，７ｄをそれぞれ溶着する。これにより、施工工程が複雑で特に剥がれやすい恐れのあったコーナー部３に、より確実に防水シート６ａ，６ｂを密着させることができる。さらに、第３壁パネル３０がコーナー部３から外壁パネル４０の壁厚と等しい寸法ずらして配置されているため、補強パッチ７ａ，７ｂ，７ｃを溶着する作業を容易に固定することができ、施工性の向上を図ることができる。
【００２２】
次に、インナーバルコニー１の第２壁パネル２０の両側に設置される外壁パネル４０（一方は図示しない）の取り付け構造を図３，図４に示す。図３および図４では便宜上、被覆プレート４ａ，４ｂ，４ｃおよび防水シート６ａ，６ｂを省略して示している。この外壁パネル４０はＡＬＣ（オートクレーブド・ライトウェイト・コンクリート）材で形成されており、断熱効果に優れた構造となっている。
【００２３】
外壁パネル４０は、第２壁パネル２０の上部に位置しており、第３壁パネル３０に対して出隅の関係で接合されている。また、外壁パネル４０の壁厚は、第２壁パネル２０よりも厚く形成され、外壁パネル４０に接合された第３壁パネル３０の端部３２は、第２壁パネル２０の内面より離れた位置に配置されている。これにより、接合面積Ｂ（図４、斜線部）がより広く形成されるので、外壁パネル４０と各壁パネル１０，２０，３０との接合強度および安定性の向上を図ることができる。さらに、接合面積Ｂが大きいことで、施工を容易にすることが可能になる。
【００２４】
外壁パネル４０の下部（第２壁パネル２０の被覆プレート４ａ上）と第２壁パネル２０の上端部２１（被覆プレート４ｂ上）および、端部３２（被覆プレート４ｃ上）にシーリング材８が設けられている。シーリング材８は合成ゴムや合成樹脂等で形成され、外壁パネル４０および第３壁パネル３０等の壁パネルの接合部分に対して、目地なりに隙間なく接着されている。これにより、各壁パネル１０，２０，３０と外壁パネル４０との間を密着させることができ、防水性を向上させることが可能になる。
【００２５】
【発明の効果】
以上のように、本発明によれば、壁同士の接合強度および安定性ならびに防水性の向上を図り、作業効率を良好にすることができるバルコニーのコーナー部構造を提供することができる。
【図面の簡単な説明】
【図１】本発明の実施形態に係るインナーバルコニーの構造を示す斜視図である。
【図２】本発明の実施形態に係るインナーバルコニーの防水構造を示す斜視図である。
【図３】本発明の実施形態に係るインナーバルコニーと外壁パネルの構造を示す斜視図である。
【図４】本発明の実施形態に係るインナーバルコニーと外壁パネルの構造を示す平面図である。
【符号の説明】
１  インナーバルコニー
２  底部
３  コーナー部
４ａ，４ｂ，４ｃ  被覆プレート
５  つら部
６ａ，６ｂ  防水シート
７ａ，７ｂ，７ｃ，７ｄ  補強パッチ
８  シーリング材
１０  第１壁パネル
２０  第２壁パネル
２１，３１  上端部
３０  第３壁パネル
３２  端部
４０  外壁パネル
Ａ  屋外側
Ｂ  接合面積
【図１】
2004190295.tif 000003
【図２】
2004190295.tif 000004
【図３】
2004190295.tif 000005
【図４】
2004190295.tif 000006